(57)【要約】【課題】  携帯型情報端末機はその性格上、小型化（特にバッテリーの小型化）及び使用時間の長時間化が望まれており、消費電力を低減し、使用時間の延長を図った携帯型情報端末機を実現する。【解決手段】  画面表示を必要としない処理において、処理の開始を定型的なコマンドの発行検知により表示装置への電力供給を切断し、処理が終了したら表示装置への電源供給を再開し、電源の無駄な消費をなくした。また表示内容が処理の進行状況のみを表している場合は、消費電力が大きなLCDへの電源供給を止め、消費電力の少ないLEDの点滅による進行状況の表示を行うことにより、処理の進行状況を把握できるようにした。また、これら表示画面への非表示の設定を使用者が容易に設定することができるメニュー画面を設けた。【選択図】  図１
2005115428.tif 000002
【特許請求の範囲】
【請求項１】
情報を画面に表示する表示手段を少なくとも備える携帯型情報端末機において、
前記表示手段への電源供給を切断または低減させる電源制御手段と、
各種処理の指示を出す処理コマンドの種類を判別する処理コマンド判別手段と、を備え、
前記処理コマンド判別手段によって判別した処理コマンドの種類によって、前記電源制御手段による電源供給の切断または低減を制御することを特徴とした携帯型情報端末機。
【請求項２】
請求項１記載の携帯型情報端末機において、
前記処理コマンドの種類により、前記処理コマンドの受付時より前記表示装置への電源供給を切断または低減し、前記処理コマンドの処理終了後前記表示手段への電源供給を再開することを特徴とした携帯型情報端末機。
【請求項３】
請求項１または２記載の携帯型情報端末機において、
前記処理コマンドの受付から処理終了までの間は、任意の機能を起動させるアプリケーションの起動開始から起動終了までの間であり、この期間前記表示手段への電源供給を切断または低減することを特徴とした携帯型情報端末機。
【請求項４】
請求項１乃至３のいずれかに記載の携帯型情報端末機において、
前記電源制御手段による前記表示手段への電源供給の制御を、所定の操作により、前記処理コマンドの種類によって選択できることを特徴とした携帯型情報端末機。
【請求項５】
請求項１乃至４のいずれかに記載の携帯型情報端末機において、
複数の非表示処理の処理コマンドの一覧を前記表示手段に表示し、所定の操作により選択された処理コマンドの種類にしたがって、前記電源制御手段による前記表示手段への電源供給を制御することを特徴とした携帯型情報端末機。
【請求項６】
請求項３乃至５のいずれかに記載の携帯型情報端末機において、
前記アプリケーションの起動終了時、起動後実行する機能に表示するべき情報が含まれているかどうかを判別する表示情報判別手段を設け、
表示するべき情報がある場合は前記表示手段への電源の供給を再開し、表示すべき情報がない場合には前記表示手段への電源の供給を切断または低減することを特徴とした携帯型情報端末機。
【請求項７】
画像を表示する表示手段と、電源制御手段と、制御手段と、を有する携帯型情報端末機に、
前記制御手段が、省電力が設定されている処理コマンド及びまたは表示すべき情報の有無を判別する手順と、
前記電源制御手段が、前記判別に応じて前記表示手段への電源の供給の切断または低減を行う手順と、
を実行させることを特徴とするソフトウェア。
【発明の詳細な説明】
【技術分野】
【０００１】
本発明は省電力を図る携帯型情報端末機及びソフトウェアに関する。
【背景技術】
【０００２】
携帯型情報端末機では、小型・高機能化にともない省電力化が製品開発の大きな課題となってきている。特に画面表示においては、消費電力が大きいため、いろいろな低消費電力化が図られている。
【０００３】
従来の携帯型情報端末機においては、使用者が表示を必要としない処理、例えば音楽再生の場合、表示を消すことが行なわれていた。しかしながらこの場合は、あらかじめ設けられた画面表示を中止するスイッチを操作して画面表示が必要でないタイミングで使用者が画面表示の中止を実行する必要があり、操作上煩わしさがあった。
【０００４】
また、別の従来技術ではあらかじめ設定した時間の間に入力がなかった場合に、自動的に画面表示を消し、再び入力を検知したら画面を表示させる処理を行い電池の消耗を抑えていた。
【０００５】
さらに、他の従来技術では、使用者がネットワークから配信されるマルチメディアコンテンツ（音楽情報）を情報端末機にダウンロードして再生を行う場合、ダウンロードの時に音楽データとともに様々なデータを端末の記憶領域に記録、管理し、その音楽を再生する時、端末の記憶領域に記録されている、その音楽に関連した情報のなかに画像データがあるか確認を行い、画像データが存在する場合は画像情報の表示を行い、画像データが無く音声のみのデータである場合は表示部への電源供給を行わないようにしたものである。（例えば、特許文献参照）
【０００６】
【特許文献１】特開２００２−１０８３６４号
【発明の開示】
【発明が解決しようとする課題】
【０００７】
携帯型情報端末機では通常の操作および処理において、例えば、携帯型情報端末機に搭載された機能を実行するためのアプリケーションプログラムの起動コマンド受付から起動完了までや、ファイルのオープンコマンド受付からファイルのオープン完了までや、ファイルの貼り付けコマンド受付からファイルの貼付け完了まで等、表示を必要としない場面が多く存在する。これらそれぞれの処理時間は短い場合も多いが、実施回数が多くなるとより多くの電力を消費することになり、小さな電池しか搭載できない、小型軽量化を見据えた携帯型情報端末機にとっては電力的に厳しい状況になる。しかしながら、上記特許文献１等記載の従来技術では、このような時間が短くても表示を必要としない操作または処理の間、表示を消灯して省電力することには配慮されていないという問題があった。すなわち、音楽再生のような長い時間の場合に限って表示を消すだけではなく、時間が短くても通常使用中に表示を必要としない処理中でも積極的に画面表示を消灯することにより消費電力を抑え、電池の有効利用を図ることには配慮されていなかった。
【０００８】
本発明の目的は、任意のアプリケーションプログラムの起動開始から終了までの処理等の期間には表示装置を消灯することで、表示に使う電力を抑えることで、電池の消費を低減することができ、操作可能時間を長くすることができる情報処理端末機及びソフトウェアを提供することにある。
【課題を解決するための手段】
【０００９】
上記した目的を達成するために、本発明の携帯型情報端末機は、表示手段への電源供給を切断または低減させる電源制御手段と、各種処理の指示を出す処理コマンドの種類を判別する処理コマンド判別手段と、を備え、前記処理コマンド判別手段によって判別した処理コマンドの種類によって、前記電源制御手段による電源供給の切断または低減を制御する。
【００１０】
さらに、前記処理コマンドの種類により、前記処理コマンドの受付時より前記表示装置への電源供給を切断または低減し、前記処理コマンドの処理終了後前記表示手段への電源供給を再開することを特徴とした。
【００１１】
これにより、ファイルのオープン、ファイルのコピー、などのコマンドを受付けた時点から表示手段への電源供給を切断し表示手段は消灯し、コマンドの処理が終了した時点で表示手段への電源の供給を再開し表示を行い、省電力を図ることができる。
【００１２】
さらに、前記処理コマンドの受付から処理終了までの間は、任意の機能を起動させるアプリケーションの起動開始から起動終了までの間であり、この期間前記表示手段への電源供給を切断または低減することを特徴とした。これにより、アプリケーション（たとえばブラウザ）の起動指示時点から表示手段への電源の供給を中止し、表示画面の消灯を行う、アプリケーションの起動が完了した時点で表示手段への電源の供給を再開し、表示手段を点灯することにより、省電力を図ることができる。
【００１３】
さらに、前記電源制御手段による前記表示手段への電源供給の制御を、所定の操作により、前記処理コマンドの種類によって選択できることを特徴とした。これにより、表示を消すかどうかを使用者が選択することができる。
【００１４】
さらに、複数の非表示処理の処理コマンドの一覧を前記表示手段に表示し、所定の操作により選択された処理コマンドの種類にしたがって、前記電源制御手段による前記表示手段への電源供給を制御することを特徴とした。これにより、表示手段への電源の供給の有無を複数の中から使用者が容易に選択して省電力モードを設定することができ、省電力を図ることが出来る。
【００１５】
さらに、前記アプリケーションの起動終了時、起動後実行する機能に表示するべき情報が含まれているかどうかを判別する表示情報判別手段を設け、表示するべき情報がある場合は前記表示手段への電源の供給を再開し、表示すべき情報がない場合には前記表示手段への電源の供給を切断または低減することを特徴とした。これにより、アプリケーション起動終了後に起動したアプリケーションを実行する時に表示用のデータがない場合には再度表示を消灯するので、省電力化できる。
【００１６】
また、本発明のソフトウェアは、画像を表示する表示手段と、電源制御手段と、制御手段と、を有する携帯型情報端末機に、前記制御手段が、省電力が設定されている処理コマンド及びまたは表示すべき情報の有無を判別する手順と、前記電源制御手段が、前記判別に応じて前記表示手段への電源の供給の切断または低減を行う手順と、を実行させることを特徴とする。これにより、上記記載の処理を実行するためのプログラムを記憶媒体に登録することにより、本機能を内蔵していない携帯情報端末機にも適用することができる。
【００１７】
本発明により、任意のアプリケーションプログラムの起動開始から終了までの処理等の期間には表示装置を消灯することで、表示に使う電力を抑えることで、電池の消費を低減することができ、操作可能時間を長くすることができる。
【発明の効果】
【００１８】
以上説明したように本発明によれば、表示のために消費する電力を抑えることができるという効果がある。
【発明を実施するための最良の形態】
【００１９】
以下、本発明の一実施の形態について、図に従って説明する。
【００２０】
図１は、本発明である携帯型情報端末機の構成を示すブロック図である。図１において、携帯型情報端末機１は、ＣＰＵ１０と、電源制御部１１と、ＲＯＭ１２と、ＲＡＭ１３と、終了入力部１４と、実行入力部１５と、画面入力部（タッチパネル）１６と、表示部（ＬＣＤ）１７と、バックライト部１８と、ＬＥＤ表示部１９と、通信Ｉ／Ｆ部２０と、電池２１ から構成されている。
【００２１】
ＣＰＵ１０は、携帯型情報端末機１を動作させるための中心的な役割を果たす装置で、プログラムを実行させるための演算等の処理を行う。電源制御部１１は、後述する電池２１から供給される電力をＣＰＵ１０の指示に従って、必要箇所（各種モジュール）に電力の供給を入り切りする。ＲＯＭ１２は Ｒｅａｄ  Ｏｎｌｙ  Ｍｅｍｏｒｙ の略で、携帯型情報端末機１を起動させるための基本動作プログラム（オペレーティングシステム）や、基本動作プログラムとハードウエアを結びつけるドライバプログラム、基本動作プログラム上で動作するアプリケーションプログラムが記憶されている。ＲＡＭ１３は Ｒａｎｄｏｍ  Ａｃｃｅｓｓ  Ｍｅｍｏｒｙ の略で、プログラムや使用者が作ったデータ等を一時的に記憶させておく装置である。終了入力部１４は、実行しているプログラムの終了を決定や、一つ前の動作に戻るときの指示を入力する電気的な信号（トリガ）を発生する装置である。一般的にはキャンセルキーと呼ばれる入力手段である。実行入力部１５はプログラムの開始等の確定を認識する電気的な信号（トリガ）を発生する装置であり、一般的にエンターキーと呼ばれる入力手段である。画面入力部（タッチパネル）１６は、後述する表示部（ＬＣＤ）１７上に重ねて配置し、後述する表示部（ＬＣＤ）１７が表示する情報とリンクさせて情報（データ）を入力する装置である。専用ペンや指で画面に触れると、入力信号（データ）と認識され、指示されたプログラムの実行や、入力データの確定をすることができる。前述した終了入力部１４や、実行入力部１５と同じ機能や処理を実現することができる電気的な信号を発生させる装置である。表示部（ＬＣＤ）１７は文字、静止画、動画等を人間の目で認識させるための出力装置で、液晶表示装置が代表的である。バックライト部１８は、表示部（ＬＣＤ）１７を暗い場所でも表示内容が見えるように明かりを照射する装置で、液晶表示装置の背後から明かり照らして暗いところでも表示を認識できようにする装置である。ＬＥＤ表示部１９は、携帯型情報端末機１において消費電力を抑えるため、後述する表示ユニット３２（画面入力部（タッチパネル）１６、表示部（ＬＣＤ）１７、バックライト部１８）の電源を切断したとき、省電力モードに移行していることを知らせるために消費電力が最も少ない表示手段として設けてある。通信Ｉ／Ｆ部２０は、携帯型情報端末機１が外部とのデータを送受信するための装置である。例としては、無線ＬＡＮ、有線ＬＡＮ、Ｂｌｕｅｔｏｏｔｈ、ＩｒＤＡ、モデム、無線電話等が挙げられる。電池２１は、携帯型情報端末機１を動作させるための電力を蓄積、供給する装置である。携帯型情報端末機１を構成させるための最重要課題である小型軽量化を実現するために、限られた電池容積で効率的に電源を使用することが求められている。
【００２２】
図２は、携帯型情報端末機１の電力供給図である。携帯型情報端末機１は、電源ユニット３０、システムユニット３１、表示ユニット３２に大きく分けられる。電源ユニット３０からの電力供給は、システムユニット３１に向けたシステムユニット電力供給経路３４と、表示ユニット３２に向けた表示ユニット電力供給経路３３と、通信Ｉ／Ｆ部２０に向けた通信Ｉ／Ｆ部電力供給経路３５を持ち、必要に応じて電力の入り切り制御を行っている。システムユニット３１は、携帯型情報端末機１の制御全てを行っている。システムユニット３１は、電力供給の指示も行っており、中心的な処理を常に行っているユニットなので、システムユニット電力供給経路３４を切断することは、携帯型情報端末機１がサスペンド状態（電源がＯＦＦ）の場合以外はありえない。通信Ｉ／Ｆ部２０に向けた通信Ｉ／Ｆ部電力供給経路３５は通信機能を使って外部とのデータ送受信を実行していないとき、電力供給をしない。表示ユニット３２は、電力を多く消費するユニットで使用者にとって表示すべき情報が無い場合はできるだけ長く表示ユニット電力供給経路３３を遮断し電池を有効利用することが望まれている。表示ユニット３２は、画面入力部（タッチパネル）１６、表示部（ＬＣＤ）１７、バックライト部１８から構成されており、使用者が見る必要のない情報を表示しようとする場合、画面入力部（タッチパネル）１６、表示部（ＬＣＤ）１７、バックライト部１８の３箇所全てに対して電力の供給を切断して無駄な電力消費を抑える。
【００２３】
以下、本発明の制御方法について、図３から図１２を使用して詳細を説明する。
図３の省電力モード設定画面図は、アプリケーションプログラムである省電力モード設定プログラムを起動した際の表示内容である。全体画面表示４０は表示デザインの一例として記載した。要否チェックエリア４１は、表示を不必要とする項目に対して、画面入力部（タッチパネル）１６へ、専用ペン等でチェックを入れると白丸内部に黒丸でチェックされた表示に変わる。黒丸チェックが入った情報は省電力モード設定認識実行キー４２を、専用ペン等でタップ、または省電力モード設定認識実行キー４２をアクティブ表示状態のまま実行入力部１５を押して、要否チェックエリア４１の情報をシステムに伝える。キャンセルキー４３は、省電力モード設定プログラムを強制的に終了またはキャンセルするためのキーで、キャンセルエリアを専用ペン等でタップするか、終了入力部１４の入力によって、省電力モード設定プログラムを強制終了させる。次に、省電力モードの各項目について説明する。アプリケーションの起動４４は、携帯型情報端末機１にインストールされている実行型プログラムの起動開始から起動完了までの期間表示ユニット３２への電力供給を絶つ省電力手段を実行する処理である。ファイルのオープン４５は、文書や図形等のデータ型ファイルを直接たたいてアプリケーションプログラム起動開始からデータのセット完了までの期間、表示ユニット３２への電力供給を絶つ省電力手段を実行する処理である。ファイルのコピーおよび移動４６は、ファイルの貼り付け開始から、貼り付け処理が完了するまでの期間表示ユニット３２への電力供給を絶つ省電力手段を実行する処理である。Ｗｅｂブラウザ使用中４７は、インターネットエクスプローラに代表されるＷｅｂブラウザプログラムの起動開始から起動完了まで、およびＷｅｂブラウザプログラムを実行中に、各のコンテンツへの移動開始から終了までの期間、表示ユニット３２への電力供給を絶つ省電力手段を実行する処理である。
【００２４】
音楽再生中４８は、音楽再生アプリケーションプログラムで、音楽のみを再生中に表示ユニット３２への電力供給を絶つ省電力手段を実行する処理である。また、アプリケーションの起動４４、ファイルのオープン４５、ファイルのコピーおよび移動４６、Ｗｅｂブラウザ使用中４７、音楽再生中４８の設定を同時にできるように、すべて選択４９を用意した。
【００２５】
図４は省電力モード設定フロー図である。図３の省電力モード設定画面図で説明した設定情報を、携帯型情報端末機１のシステムに伝えるための手段を説明する図である。データ取り込み処理を説明する前に、各省電力モードに関連付けた記号を記載した、各省電力モード記号対応表６５と省電力モードテーブル６４を説明する。アプリケーションの起動４４はＩｔｅｍ１、ファイルのオープン４５はＩｔｅｍ２、ファイルのコピーおよび移動４６はＩｔｅｍ３、Ｗｅｂブラウザ使用中４７はＩｔｅｍ４、音楽再生中４８はＩｔｅｍ５、全て選択４９はＩｔｅｍ６と割り当て、今後の処理説明では記号表記とする。省電力モードテーブル６４は、使用者が必要とする省電力モード（図３の設定）を携帯型情報端末機１のＲＡＭ１３に記憶するデータテーブルであり、各Ｉｔｅｍに省電力モードが設定されていればフラグを「１」とし、省電力モードが設定されていなければフラグを「０」とする。
【００２６】
省電力モード設定プログラム起動処理５０は、省電力モード設定プログラムを起動し設定情報を入力できる状態にする。起動時の画面は図３省電力モード設定画面図の通りである。実行キーの入力処理５１は、省電力モード設定認識実行キー４２を、専用ペン等でタップ、または省電力モード設定認識実行キー４２をアクティブ表示状態のまま実行入力部１５を押した処理で、画面入力情報をシステムに対して取り込みを開始する手入力操作である。
【００２７】
Ｉｔｅｍ６指示欄＝○分岐処理５２において、要否チェックエリア４１のすべて選択４９が○なら「真」、●なら「偽」に分岐する。Ｉｔｅｍ６指示欄＝○分岐処理５２が「偽」の場合、省電力モードテーブル６４の省電力フラグＩｔｅｍ１、Ｉｔｅｍ２、Ｉｔｅｍ３、Ｉｔｅｍ４、Ｉｔｅｍ５全てに「１」をセットするＩｔｅｍ１〜５フラグ１にセット処理５８を実行し、処理を終了する。Ｉｔｅｍ６指示欄＝○分岐処理５２が「真」の場合、Ｉｔｅｍ５指示欄＝○分岐処理５３へ移行する。Ｉｔｅｍ５指示欄＝○分岐処理５３が「偽」の場合、省電力モードテーブル６４の省電力フラグＩｔｅｍ５に「１」をセットするＩｔｅｍ５フラグ１にセット処理５９を実行し、Ｉｔｅｍ４指示欄＝○分岐処理５４へ移行する。Ｉｔｅｍ５指示欄＝○分岐処理５３が「真」の場合、そのままＩｔｅｍ４指示欄＝○分岐処理５４を実行する。Ｉｔｅｍ４指示欄＝○分岐処理５４が「偽」の場合、省電力モードテーブル６４の省電力フラグＩｔｅｍ４に「１」をセットするＩｔｅｍ４フラグ１にセット処理６０を実行し、Ｉｔｅｍ３指示欄＝○分岐処理５５へ移行する。Ｉｔｅｍ４指示欄＝○分岐処理５４が「真」の場合、そのままＩｔｅｍ３指示欄＝○分岐処理５５を実行する。Ｉｔｅｍ３指示欄＝○分岐処理５５が「偽」の場合、省電力モードテーブル６４の省電力フラグＩｔｅｍ３に「１」をセットするＩｔｅｍ３フラグ１にセット処理６１を実行し、Ｉｔｅｍ２指示欄＝○分岐処理５６へ移行する。Ｉｔｅｍ３指示欄＝○分岐処理５５が「真」の場合、そのままＩｔｅｍ２指示欄＝○分岐処理５６を実行する。Ｉｔｅｍ２指示欄＝○分岐処理５５が「偽」の場合、省電力モードテーブル６４の省電力フラグＩｔｅｍ２に「１」をセットするＩｔｅｍ２フラグ１にセット処理６２を実行し、Ｉｔｅｍ１指示欄＝○分岐処理５７へ移行する。Ｉｔｅｍ２指示欄＝○分岐処理５６が「真」の場合、そのままＩｔｅｍ１指示欄＝○分岐処理５７を実行する。Ｉｔｅｍ１指示欄＝○分岐処理５７が「偽」の場合、省電力モードテーブル６４の省電力フラグＩｔｅｍ１に「１」をセットするＩｔｅｍ１フラグ１にセット処理６３を実行し、プログラムを終了する。Ｉｔｅｍ１指示欄＝○分岐処理５７が「真」の場合、そのままプログラムを終了する。
【００２８】
次に、図５の省電力開始フロー図について説明する。一般実行キー入力処理７０は、携帯型情報端末機１の実行入力部１５または画面入力部（タッチパネル）１６から手入力された確定入力信号（一般的にエンターキー入力という）で、携帯型情報端末機１に対して実行コマンドを発行する実行処理開始指示手段である。ＡＰの実行コマンド有り分岐処理７１の「ＡＰ」はアプリケーションプログラムのことでＯＳと呼ばれる基本プログラム上で動作している。以後アプリケーションプログラムのことをＡＰと記載する。ＡＰを起動するきっかけとなる情報はＡＰの呼び出しコマンドの発行である。すなわち、ＡＰの実行コマンド有り分岐処理７１が「真」の場合には省電力フラグ＝１００００分岐処理７２で、省電力モードへ移行するか否かを判定をする。省電力モードへ移行する場合、すなわち省電力フラグ＝１００００分岐処理７２  が「真」の場合は、表示ユニット電力供給ＯＦＦ処理７３を実行する。表示ユニット電力供給ＯＦＦ処理７３Ａは、ＣＰＵ１０から電源制御部１１に対して、表示ユニット３２に向けた電力供給を切断するよう指示する処理である。表示ユニット電力供給ＯＦＦ処理７３Ａの実行で表示ユニット３２への電力供給が切断されると、次に、省電力モードへの移行を知らせるＬＥＤ表示部１９を点灯させるためにＬＥＤフラグ＝１・ＦＩＬＥ_ＩＮＦＯ＝ＮＵＬＬ処理７４を実行し、後述する「表示電力復帰処理Ａ」７５へ移行する。ＦＩＬＥ_ＩＮＦＯ＝ＮＵＬＬは、ＬＥＤの点滅間隔で省電力処理の経過を表すための情報をセットする処理である。アプリケーションの起動処理は短いので、ＬＥＤの点滅処理はしない。よって、「何も無い」を意味するＮＵＬＬをセットする。省電力フラグ＝１００００分岐処理７２  が「偽」の場合は、一般実行キー入力処理７０に戻る。ＡＰの実行コマンド有り分岐処理７１が「偽」の場合は、ファイルとＡＰの関連付実行コマンド有り分岐処理７６へ移行する。文書や画像等のデータファイルを直接たたいた場合(ファイルを直接実行する処理)、まず文書や画像等を表示させるためのＡＰが起動し、その後文書や画像等データをＡＰ内に取り込む処理を実行する。文書や画像等データファイルとＡＰは予め関連付け（ファイル形式の違いで起動するＡＰが決められている）されていて、その情報がＲＯＭ１２またはＲＡＭ１３の保存エリアに登録されている。ファイルとＡＰの関連付処理の開始は、ファイルとＡＰの関連付実行コマンドを検知することで認識できる。
【００２９】
ファイルとＡＰの関連付実行コマンド有り分岐処理７６で、「真」と判断した場合、次に、省電力フラグ＝０１０００分岐処理７７で、省電力モードへ移行するか否かを判定をする。省電力モード移行する場合、すなわち省電力フラグ＝０１００分岐処理７７  が「真」の場合は、表示ユニット電力供給ＯＦＦ処理７３Ｂを実行する。表示ユニット電力供給ＯＦＦ処理７３Ｂは、ＣＰＵ１０から電源制御部１１に対して、表示ユニット３２に向けた電力供給を切断するよう指示する処理である。表示ユニット電力供給ＯＦＦ処理７３Ｂの実行で表示ユニット３２への電力供給が切断されると、次に、省電力モードへの移行を知らせるＬＥＤ表示部１９を点灯させるためにＬＥＤフラグ＝１・ＦＩＬＥ_ＩＮＦＯ＝ファイル容量処理７８を実行し、後述する表示電力復帰処理Ｂ７９へ移行する。ＦＩＬＥ_ＩＮＦＯ＝ファイル容量は後述するファイルの容量から表示復活までの時間を推測し、ＬＥＤの点滅間隔で省電力処理の経過を表すための情報である。省電力フラグ＝０１０００分岐処理７７  が「偽」の場合は、一般実行キー入力処理７０に戻る。ファイルとＡＰの関連付実行コマンドあり分岐処理７６が「偽」の場合は、貼付け実行コマンド有り分岐処理８０へ移行する。ファイルのコピーや移動（コピー、カット）処理を実行する場合は、必ず貼付処理（ペースト）を実行する。貼付処理は、ファイル管理ＡＰで、貼付実行コマンドをシステムが受付けることにより、貼付処理関数をＲＯＭ１２またはＲＡＭ１３の保存エリアからＲＡＭ１３のワークエリアへの取り込む。貼付け実行コマンド有り分岐処理８０が「真」である場合、次に、省電力フラグ＝００１００分岐処理８１で、省電力モードへ移行するか否かを判定をする。省電力モード移行する場合、すなわち、省電力フラグ＝００１００分岐処理８１  が「真」の場合は、表示ユニット電力供給ＯＦＦ処理７３Ｃを実行する。表示ユニット電力供給ＯＦＦ処理７３Ｃは、ＣＰＵ１０から電源制御部１１に対して、表示ユニット３２に向けた電力供給を切断するよう指示する処理である。表示ユニット電力供給ＯＦＦ処理７３Ｃの実行で表示ユニット３２への電力供給が切断されると、次に、省電力モードへの移行を知らせるＬＥＤ表示部１９を点灯させるためにＬＥＤフラグ＝１・ＦＩＬＥ_ＩＮＦＯ＝ファイル容量処理７８を実行し、後述する表示電力復帰処理Ｃ８２へ移行する。省電力フラグ＝００１００分岐処理８１  が「偽」の場合は、一般実行キー入力処理７０に戻る。貼付け実行コマンド有り分岐処理８０が「偽」の場合は、Ｗｅｂブラウザプロセス有り分岐処理８３へ移行する。Ｗｅｂブラウザプロセス有り分岐処理８３は、Ｗｅｂブラウザが起動しているか否かを判断すればよい。
【００３０】
アプリケーションプログラムの起動情報は、ＲＡＭ１３のワークエリアにあるアプリケーションプログラムのプロセス情報を見れば確認できる。Ｗｅｂブラウザプロセス有り分岐処理８３が、「真」である場合、次に、省電力フラグ＝０００１０分岐処理８４で、省電力モードへ移行するか否かを判定をする。省電力モード移行する場合、すなわち省電力フラグ＝０００１０分岐処理８４  が「真」の場合は、表示ユニット電力供給ＯＦＦ処理７３Ｄを実行する。表示ユニット電力供給ＯＦＦ処理７３Ｄは、ＣＰＵ１０から電源制御部１１に対して、表示ユニット３２に向けた電力供給を切断するよう指示する処理である。
【００３１】
表示ユニット電力供給ＯＦＦ処理７３Ｄの実行で表示ユニット３２への電力供給が切断されると、次に、省電力モードへの移行を知らせるＬＥＤ表示部１９を点灯させるためにＬＥＤフラグ＝１・ＦＩＬＥ_ＩＮＦＯ＝ＷＥＢ処理８５を実行し、後述する表示電力復帰処理Ｄ８６へ移行する。ＦＩＬＥ_ＩＮＦＯ＝ＷＥＢ処理は、Ｗｅｂアプリケーションプログラムが実行されていることをシステムが認識するために実行される処理である。省電力フラグ＝０００１０分岐処理８５  が「偽」の場合は、一般実行キー入力処理７０に戻る。Ｗｅｂブラウザプロセス有り分岐処理８３が「偽」の場合は、音楽・動画ファイル実行コマンド有り分岐処理８７へ移行する。音楽・動画ファイル実行コマンド有り分岐処理８７は、音楽・動画ファイルの再生開始を知らせる音楽・動画ファイル実行コマンドがあるか否かを判断する処理である。音楽・動画ファイル実行コマンドを検知した場合、ＲＯＭ１２またはＲＡＭ１３の記憶エリアからＲＡＭ１３のワークエリアへ音声・動画ファイルをロードし、実行する。音楽・動画ファイル実行コマンド有り分岐処理８７が、「真」である場合、次に、省電力フラグ＝００００１分岐処理８８で、省電力モードへ移行するか否かを判定をする。省電力モード移行する場合、すなわち省電力フラグ＝００００１分岐処理８８  が「真」の場合は、表示ユニット電力供給ＯＦＦ処理７３Ｅを実行する。表示ユニット電力供給ＯＦＦ処理７３Ｅは、ＣＰＵ１０から電源制御部１１に対して、表示ユニット３２に向けた電力供給を切断するよう指示する処理である。
【００３２】
表示ユニット電力供給ＯＦＦ処理７３Ｅの実行で表示ユニット３２への電力供給が切断されると、次に、省電力モードへの移行を知らせるＬＥＤ表示部１９を点灯させるためにＬＥＤフラグ＝１・ＦＩＬＥ_ＩＮＦＯ＝ファイル容量処理７８を実行し、後述する表示電力復帰処理Ｅ８９へ移行する。ＦＩＬＥ_ＩＮＦＯ＝ファイル容量は、ＬＥＤの点滅間隔で省電力処理の経過を表すための情報をセットする処理である。音楽ファイル再生処理は音を聞いていれば終わりが分かるのでＬＥＤの点滅処理はしないが、音楽・動画ＡＰの起動やファイルのオープンにＬＥＤの情報が必要になる。よって、ファイルの容量をセットし、音楽・動画再生までの期間、ＬＥＤで知らせるようにする。省電力フラグ＝００００１分岐処理８８  が「偽」の場合は、一般実行キー入力処理７０に戻る。音楽・動画ファイル実行コマンド有り分岐処理８７が「偽」の場合は、処理を終了する。何も処理せずに、また一般実行キーの入力処理７０に戻り、次の実行キー入力を待つ。
【００３３】
次に、図５の省電力開始フロー図に従って省電力モードに移行した状態から省電力モードの解除方法について図６から図１０を使用して説明する。図６「表示電力復帰処理Ａ（アプリケーションの起動）図」の（ｂ）ＡＰ起動完了検知処理 は、図５「省電力開始フロー図」の表示電力復帰処理Ａ７５の続き処理であり省電力モードからの復帰処理を説明する流れ図である。（ａ）ＡＰ起動完了表示データ は、図に示すように、各々のＡＰ起動完了表示９０をＲＯＭ１２またはＲＡＭ１３の保存エリアに登録されている電子データである。ＡＰ起動完了データ一致分岐処理９１は、ＲＡＭ１３のワークエリアで処理されるＡＰの画面データとＲＯＭ１２またはＲＡＭ１３の保存エリアに予め登録してある各々のＡＰ起動完了表示９０とを比較する処理である。ＡＰ起動完了データ一致分岐処理９１が「真」の場合は、ＬＥＤフラグ＝０処理９２で、ＬＥＤ表示部１９のＬＥＤを消灯するために、「１」にセットされていたＬＥＤフラグを「０」にセットする。
【００３４】
次に、表示ユニット電力供給ＯＮ処理９３で、ＣＰＵ１０から電源制御部１１へ、表示ユニット３２への電力を供給する指示をし、電源制御部１１は表示ユニット３２へ電力を供給する。ＡＰ起動完了データ一致分岐処理９１が「偽」の場合は、終了キー入力分岐処理９４に移行する。終了キー入力は終了入力部１４からの信号で、表示を消している状態から強制的に表示を点ける指示をするための手入力手段である。終了キー入力分岐処理９４が「偽」である場合、ＡＰ起動完了データ一致分岐処理９１に戻り、終了キー入力分岐処理９４が「真」である場合は、ＬＥＤフラグ＝０処理９２で、ＬＥＤ表示部１９のＬＥＤを消灯するために、「１」にセットされていたＬＥＤフラグを「０」にセットする。次に、表示ユニット電力供給ＯＮ処理９３で、ＣＰＵ１０から電源制御部１１へ、表示ユニット３２への電力を供給する指示をし、電源制御部１１は表示ユニット３２へ電力を供給する。
【００３５】
図７「表示電力復帰処理Ｂ（ファイルのオープン）図」の（ｃ）ＡＰ起動とデータ表示完了処理 は、図５省電力開始フロー図の表示電力復帰処理Ｂ７９の続き処理であり省電力モードからの復帰処理を説明する流れ図である。処理としては、図６「表示電力復帰処理Ａ（アプリケーションの起動）図」で説明した処理にＡＰ枠内データ有り分岐処理１０１を加えた処理である。ＡＰ枠内データ有り分岐処理１０１は（ｂ）ＡＰ内表示データに示すようにＡＰ起動後の枠内にデータ（図の場合テキストデータ）があるか否かを判断する処理を追加したものである。ＡＰ起動完了データ一致分岐処理９１が「真」の場合は、ＡＰ枠内データ有り分岐処理１０１に移行する。ＡＰ枠内データ有り分岐処理１０１が「真」の場合、ＬＥＤフラグ＝０処理９２で、ＬＥＤ表示部１９のＬＥＤを消灯するために、「１」にセットされていたＬＥＤフラグを「０」にセットする。次に、表示ユニット電力供給ＯＮ処理９３で、ＣＰＵ１０から電源制御部１１へ、表示ユニット３２への電力を供給する指示をし、電源制御部１１は表示ユニット３２へ電力を供給する。ＡＰ起動完了データ一致分岐処理９１またはＡＰ枠内データ有り分岐処理１０１が「偽」の場合は、終了キー入力分岐処理９４に移行する。終了キー入力分岐処理９４が「偽」である場合、ＡＰ起動完了データ一致分岐処理９１に戻り、終了キー入力分岐処理９４が「真」である場合は、ＬＥＤフラグ＝０処理９２で、「ＬＥＤ表示部」１９のＬＥＤを消灯するために、「１」にセットされていたＬＥＤフラグを「０」にセットする。次に、表示ユニット電力供給ＯＮ処理９３で、ＣＰＵ１０から電源制御部１１へ、表示ユニット３２への電力を供給する指示をし、電源制御部１１は表示ユニット３２へ電力を供給する。
【００３６】
図８「表示電力復帰処理Ｃ（ファイルのコピーおよび移動）図」の（ａ）貼り付け関数開放検知処理 は、図５省電力開始フロー図の表示電力復帰処理Ｃ８２の続き処理であり省電力モードからの復帰処理を説明する流れ図である。貼り付け処理関数開放分岐処理１１０は、システムが貼り付け処理を実施する場合、プログラムが貼り付け処理を実行する関数を呼び出し、処理が終了したら貼り付け処理関数を開放する。貼り付け処理関数開放分岐処理１１０が「真」の場合は、ＬＥＤフラグ＝０処理９２で、ＬＥＤ表示部１９のＬＥＤを消灯するために、「１」にセットされていたＬＥＤフラグを「０」にセットする。
【００３７】
次に、表示ユニット電力供給ＯＮ処理９３で、ＣＰＵ１０から電源制御部１１へ、表示ユニット３２への電力を供給する指示をし、電源制御部１１は表示ユニット３２へ電力を供給する。貼り付け処理関数開放分岐処理１１０が「偽」の場合は、終了キー入力分岐処理９４に移行する。終了キー入力分岐処理９４が「偽」である場合、貼り付け処理関数開放分岐処理１１０に戻る。終了キー入力分岐処理９４が「真」である場合は、ＬＥＤフラグ＝０処理９２で、ＬＥＤ表示部１９のＬＥＤを消灯するために、「１」にセットされていたＬＥＤフラグを「０」にセットする。次に、表示ユニット電力供給ＯＮ処理９３で、ＣＰＵ１０から電源制御部１１へ、表示ユニット３２への電力を供給する指示をし、電源制御部１１は表示ユニット３２へ電力を供給する。
【００３８】
図９「表示電力復帰処理Ｄ（Ｗｅｂブラウザ使用中）図」の（ａ）インジケータ表示データ はＷｅｂブラウザ１２０のウインド枠下方に表示される情報でＲＡＭ１３のワークエリア内で計算処理をしている。（ｂ）インジケータ表示検出処理 は、図５省電力開始フロー図の表示電力復帰処理Ｄ８６の続き処理であり省電力モードからの復帰処理を説明する流れ図である。インジケータ情報有り分岐処理１２１は、インジケータの処理があるか否かを判別する手段である。インジケータ情報有り分岐処理１２１が、「偽」の場合は、ＬＥＤフラグ＝０処理９２で、ＬＥＤ表示部１９のＬＥＤを消灯するために、「１」にセットされていたＬＥＤフラグを「０」にセットする。
【００３９】
次に、表示ユニット電力供給ＯＮ処理９３で、ＣＰＵ１０から電源制御部１１へ、表示ユニット３２への電力を供給する指示をし、電源制御部１１は表示ユニット３２へ電力を供給する。インジケータ情報有り分岐処理１２１が、「真」の場合は、終了キー入力分岐処理９４に移行する。終了キー入力分岐処理９４が「偽」である場合、インジケータ情報有り分岐処理１２１に戻り、終了キー入力分岐処理９４が「真」である場合は、ＬＥＤフラグ＝０処理９２で、ＬＥＤ表示部１９のＬＥＤを消灯するために、「１」にセットされていたＬＥＤフラグを「０」にセットする。次に、表示ユニット電力供給ＯＮ９３の処理で、ＣＰＵ１０から電源制御部１１へ、表示ユニット３２への電力を供給する指示をし、電源制御部１１は表示ユニット３２へ電力を供給する。
【００４０】
図１０「表示電力復帰処理Ｅ（音楽・動画再生）図」の（ａ）音楽再生中表示データは、音楽・動画ＡＰの最終表示形態および音声再生中画面１５０  に示すように、音楽・動画ＡＰの起動が完了した表示の最終形態であり、かつ、音楽を再生しているだけで、音声・動画ＡＰの枠内が変化しないことを示している。この表示情報は、電子データで、ＲＯＭ１２またはＲＡＭ１３の保存エリアに予め登録されている。（ｂ）動画再生中表示データは、動画再生中表示画面１５１に示すように、画像を表示させるために、音声・動画ＡＰの枠内に絵が表示されていることを示している。画像を表示させるためのデータはＲＡＭ１３のワークエリアに作られ、音楽・動画ＡＰの最終表示形態および音声再生中画面１５０の電子データと比較される。（ｃ）音楽・動画終了検知処理 は、図５省電力開始フロー図の表示電力復帰処理Ｅ８９の続き処理であり省電力モードからの復帰処理を説明する流れ図である。音楽・動画ＡＰ起動完了データ一致分岐処理１５２は、音声・動画ＡＰの起動完了最終表示形態の電子データと実際に表示させるために作った表示データをＲＡＭ１３のワークエリアで比較する処理である。音楽・動画ＡＰ起動完了データ一致分岐処理１５２が「偽」の場合、終了キー入力分岐処理９４に移行する。終了キー入力分岐処理９４は終了入力部１４からの信号で、表示を消している状態から強制的に表示をつける指示をするための手入力手段である。終了キー入力分岐処理９４が「偽」である場合、音楽・動画ＡＰ起動完了データ一致分岐処理１５２に戻り、終了キー入力分岐処理９４が「真」である場合は、表示ユニット電力供給ＯＮ処理９３で、ＣＰＵ１０から電源制御部１１へ、表示ユニット３２への電力を供給する指示をし、電源制御部１１は表示ユニット３２へ電力を供給する。
【００４１】
音楽・動画ＡＰ起動完了データ一致分岐処理１５２が「真」の場合、表示データが一致したことを意味するので、ＬＥＤフラグ＝０処理９２で、ＬＥＤ表示部１９のＬＥＤを消灯するために、「１」にセットされていたＬＥＤフラグを「０」にセットする。音楽・動画ＡＰ起動完了データ一致分岐処理１５２が「真」以降の処理は音楽再生処理で、省電力モード処理の進捗状況は音楽を聴いていればわかるのでＬＥＤフラグを「０」にセットする。次に音楽動画ＡＰ枠内データ有り分岐処理１５３を実行する。音楽動画ＡＰ枠内データ有り分岐処理１５３は、音楽・動画ＡＰの最終表示形態および音声再生中画面１５０の枠内に表示データがあるかどうかを判断する処理である。音楽動画ＡＰ枠内データ有り分岐処理１５３が「偽」の場合、ファイルのアンロード分岐処理１５４を実行する。ファイルのアンロード分岐処理１５４は、実行しているファイルが終了し、ＲＡＭ１３のワークエリアからアンロードされたか否かで音楽再生の終了を検知する。ファイルのアンロード分岐処理１５４が「偽」の場合は、終了キー入力分岐処理９４に移行する。終了キー入力分岐処理９４が「偽」である場合、音楽・動画ＡＰ起動完了データ一致分岐処理１５２に戻り、終了キー入力分岐処理９４が「真」である場合は、表示ユニット電力供給ＯＮ処理９３で、ＣＰＵ１０から電源制御部１１へ、表示ユニット３２への電力を供給する指示をし、電源制御部１１は表示ユニット３２へ電力を供給する。ファイルのアンロード分岐処理１５４が「真」の場合も、表示ユニット電力供給ＯＮ処理９３で、ＣＰＵ１０から電源制御部１１へ、表示ユニット３２への電力を供給する指示をし、電源制御部１１は表示ユニット３２へ電力を供給する。また、音楽動画ＡＰ枠内データ有り分岐処理１５３が「真」の場合も、表示ユニット電力供給ＯＮ処理９３で、ＣＰＵ１０から電源制御部１１へ、表示ユニット３２への電力を供給する指示をし、電源制御部１１は表示ユニット３２へ電力を供給する。
【００４２】
次に、図１１、図１２に示す、省電力モードへ移行中に点灯しているＬＥＤ表示で、処理経過を知らせる仕組みについて説明する。
【００４３】
図１１  省電力モード経過表示処理（ファイル処理）図は、「ファイルのオープン」、「ファイルのコピーおよび移動」処理時の経過処理表示を説明する図である。ＬＥＤフラグ＝０分岐処理１３０はＬＥＤフラグが「０」か「１」を判別する処理で、「真」の場合はＬＥＤフラグが１になるまで繰り返し確認処理をし、ＬＥＤを点灯させる場合は「偽」が選択される。次のＦＩＬＥ_ＩＮＦＯ＝ＮＵＬＬ分岐処理１３１は、省電力モード処理の種類を判別する手段で、ＮＵＬＬすなわち「真」場合は、アプリケーションの起動処理を意味する。携帯型情報端末１のアプリケーション起動処理は比較的短い処理（１〜２秒）なので、省電力モードへ移行した場合、ＬＥＤの点灯だけで十分である。ＦＩＬＥ_ＩＮＦＯ＝ＮＵＬＬ分岐処理１３１が「偽」である場合は次のＦＩＬＥ_ＩＮＦＯ＝ファイル容量分岐処理１３２へ進む。ＦＩＬＥ_ＩＮＦＯ＝ファイル容量分岐処理１３２が「偽」の場合は、処理を終了し、「真」場合はＴＩＭＥ＝ファイル容量÷１Ｍ÷５処理１３３を実行する。ここでは、１ＭＢのファイルオープンに約１秒として換算し、５段階に分割して表示させることを意味する処理である。ＬＥＤ＝点滅速度１処理１３４は、ＬＥＤを省電力モードの処理残量（経過）を点滅の早さであらわす第１段階の設定（初期値）で、ＬＥＤの点滅はしない。ＬＥＤ表示処理１３５はＬＥＤの点滅速度１〜５に従い、点滅速度を変えてＬＥＤを表示する処理である。ＣＯＵＮＴ＝ＴＩＭＥ分岐処理１３６は一定の点滅間隔のＬＥＤ表示をＴＩＭＥ＝ファイル容量÷１Ｍ÷５処理１３３で計算した時間分点滅ＬＥＤを表示させる処理である。
【００４４】
ＣＯＵＮＴ＝ＴＩＭＥ分岐処理１３６が「偽」の場合は、ＬＥＤ表示処理１３５に戻り、「真」の場合は、ＬＥＤ＝ＬＥＤ＋点滅速度１処理１３６を実行する。ＬＥＤ＝ＬＥＤ＋点滅速度１処理１３６はＬＥＤ点滅速度を１段階速めるデータをセットする処理である。次に、ＬＥＤ＝点滅速度６分岐処理１３７を判別する。ＬＥＤ＝点滅速度６分岐処理１３７が「偽」の場合は、ＬＥＤ表示処理１３５に戻る。このときＬＥＤの表示は点滅速度は速くなっている。ＬＥＤ＝点滅速度６分岐処理１３７が「真」の場合は、５段階の処理が終了したことを意味するのでＬＥＤ表示処理１３５を終了する。
【００４５】
図１２  省電力モード経過表示処理（Ｗｅｂ表示）図は、Ｗｅｂブラウザを使用中の経過処理表示を説明する図である。ＬＥＤフラグ＝０分岐処理１３０とＦＩＬＥ_ＩＮＦＯ＝ＮＵＬＬ分岐処理１３１は図１１と同じである。ＦＩＬＥ_ＩＮＦＯ＝ＮＵＬＬ分岐処理１３１が「偽」である場合は次のＦＩＬＥ_ＩＮＦＯ＝ＷＥＢ分岐処理１４０へ進む。ＦＩＬＥ_ＩＮＦＯ＝ＷＥＢ分岐処理１４０が「偽」の場合は、処理を終了し、「真」場合はＣＡＰＡ＝１／５処理１４１を実行する。ＣＡＰＡは図９、Ｗｅｂブラウザ１２０で示すインジケータを表示させるためのデータで、第１段階すなわちインジケータ全体の１／５をセットする処理である。次に、ＬＥＤ＝点滅速度１処理１３４、ＬＥＤ表示処理１３５を処理する。インジケータ＝ＣＡＰＡ分岐処理１４２はひとつのＬＥＤ表示段階を表示させる時間を判断する処理であり、「偽」の場合はＬＥＤ表示処理１３５を繰り返す。「真」場合は、ＣＡＰＡの値を一段増やすＣＡＰＡ＝ＣＡＰＡ＋１／５処理１４３を実行する。次に、ＬＥＤ＝ＬＥＤ＋点滅速度１処理１３７を実行し、ＬＥＤ＝点滅速度６分岐処理１３８を処理する。
【００４６】
以上に述べた表示装置への電源供給を制御する省電力プログラムはアプリケーションプログラムとしてＲＡＭ１３に保存されている。このことは、他の記憶媒体に記録することにより、本機能を内蔵していない他の携帯型情報端末においても適用できることは言うまでもない。
【００４７】
以上の実施の形態では、表示ユニット３２に対して電力の供給を切断して無駄な電力消費を抑えていたが、電力の供給を切断せずとも、電力の供給量を低減することによって電力消費を抑えるようにしてもよい。
【００４８】
また、実施の形態では、画面入力部（タッチパネル）１６を備えているが、これを備えていない携帯型情報端末装機であっても、実施の形態を適用可能であり、無駄な電力消費を抑えることができることは言うまでもない。
【００４９】
以上より、表示手段による電力消費を抑えることができるので、電池の消費を低減することができ、操作可能時間を長くすることができる。
【図面の簡単な説明】
【００５０】
【図１】携帯型情報端末機のブロック図
【図２】電力供給図
【図３】省電力モード設定画面図
【図４】省電力モード設定フロー図
【図５】省電力開始フロー図
【図６】表示電力復帰処理Ａ（アプリケーションの起動）図
【図７】表示電力復帰処理Ｂ（ファイルのオープン）図
【図８】表示電力復帰処理Ｃ（ファイルのコピーおよび移動）図
【図９】表示電力復帰処理Ｄ（Ｗｅｂブラウザ使用中）図
【図１０】表示電力復帰処理Ｅ（音楽・動画再生）図
【図１１】省電力モード経過表示処理（ファイル処理）図
【図１２】省電力モード経過表示処理（Ｗｅｂ表示）図
【符号の説明】
【００５１】
１・・・携帯型情報端末機、１０・・・ＣＰＵ、１１・・・電源制御部、１２・・・ＲＯＭ、１３・・・ＲＡＭ、１４・・・終了入力部、１５・・・実行入力部、
１６・・・画面入力部（タッチパネル）、１７・・・表示部（ＬＣＤ）、
１８・・・バックライト部、１９・・・ＬＥＤ表示部、２０・・・通信Ｉ／Ｆ部、
２１・・・電池、３０・・・電源ユニット、３１・・・システムユニット、
３２・・・表示ユニット、３３・・・表示ユニット電力供給経路、
３４・・・システムユニット電力供給経路、３５・・・通信Ｉ／Ｆ部電力供給経路、
４０・・・全体画面表示、４１・・・要否チェックエリア、
４２・・・省電力モード設定認識実行キー、
４３・・・省電力モード設定プログラム終了キー、４４・・・アプリケーションの起動、
４５・・・ファイルのオープン、４６・・・ファイルのコピーおよび移動、
４７・・・Ｗｅｂブラウザ使用中、４８・・・音楽再生中、４９・・・全て選択、
５０・・・省電力モード設定プログラム起動処理、５１・・・実行キーの入力処理、
５２・・・Ｉｔｅｍ６指示欄＝○分岐処理、５３・・・Ｉｔｅｍ５指示欄＝○分岐処理、
５４・・・Ｉｔｅｍ４指示欄＝○分岐処理、５５・・・Ｉｔｅｍ３指示欄＝○分岐処理、
５６・・・Ｉｔｅｍ２指示欄＝○分岐処理、５７・・・Ｉｔｅｍ１指示欄＝○分岐処理、
５８・・・Ｉｔｅｍ１〜５フラグ１にセット処理、
５９・・・Ｉｔｅｍ５フラグ１にセット処理、
６０・・・Ｉｔｅｍ４フラグ１にセット処理、
６１・・・Ｉｔｅｍ３フラグ１にセット処理、
６２・・・Ｉｔｅｍ２フラグ１にセット処理、
６３・・・Ｉｔｅｍ１フラグ１にセット処理、６４・・・省電力モードテーブル、
６５・・・各省電力モード記号対応表、７０・・・一般実行キー入力処理、
７１・・・ＡＰの実行コマンド有り分岐処理、
７２・・・省電力フラグ＝１００００分岐処理、
７３・・・表示ユニット電力供給ＯＦＦ処理、
７４・・・ＬＥＤフラグ＝１・ＦＩＬＥ_ＩＮＦＯ＝ＮＵＬＬ処理、
７５・・・表示電力復帰処理Ａ接続、
７６・・・ファイルとＡＰの関連付実行コマンド有り分岐処理、
７７・・・省電力フラグ＝０１０００分岐処理、
７８・・・ＬＥＤフラグ＝１・ＦＩＬＥ_ＩＮＦＯ＝ファイル容量処理、
７９・・・表示電力復帰処理Ｂ接続、８０・・・貼付け実行コマンド有り分岐処理、
８１・・・省電力フラグ＝００１００分岐処理、８２・・・表示電力復帰処理Ｃ接続、
８３・・・Ｗｅｂブラウザプロセス有り分岐処理、
８４・・・省電力フラグ＝０００１０分岐処理、
８５・・・ＬＥＤフラグ＝１・ＦＩＬＥ_ＩＮＦＯ＝ＷＥＢ、
８６・・・表示電力復帰処理Ｄ接続、
８７・・・音楽・動画ファイル実行コマンド有り分岐処理、
８８・・・省電力フラグ＝００００１分岐処理、８９・・・表示電力復帰処理Ｅ接続、
９０・・・各々のＡＰ起動完了表示、９１・・・ＡＰ起動完了データ一致分岐処理、
９２・・・ＬＥＤフラグ＝０処理、９３・・・表示ユニット電力供給ＯＮ処理、
９４・・・終了キー入力処理、１００・・・ＡＰ内表示データ、
１０１・・・ＡＰ枠内データ有り分岐処理、
１１０・・・貼り付け処理関数開放分岐処理、
１２０・・・Ｗｅｂブラウザ、１２１・・・インジケータ情報有り分岐処理、
１３０・・・ＬＥＤフラグ＝０分岐処理、
１３１・・・ＦＩＬＥ_ＩＮＦＯ＝ＮＵＬＬ分岐処理、
１３２・・・ＦＩＬＥ_ＩＮＦＯ＝ファイル容量分岐処理、
１３３・・・ＴＩＭＥ＝ファイル容量÷１Ｍ÷５処理、
１３４・・・ＬＥＤ＝点滅速度１処理、１３５・・・ＬＥＤ表示処理、
１３６・・・ＣＯＵＮＴ＝ＴＩＭＥ、
１３７・・・ＬＥＤ＝ＬＥＤ＋点滅速度１処理、
１３８・・・ＬＥＤ＝点滅速度６分岐処理、
１４０・・・ＦＩＬＥ_ＩＮＦＯ＝ＷＥＢ分岐処理、
１４１・・・ＣＡＰＡ＝１／５処理、１４２・・・インジケータ＝ＣＡＰＡ分岐処理、
１４３・・・ＣＡＰＡ＝ＣＡＰＡ＋１／５処理、
１５０・・・音楽・動画ＡＰの最終表示形態および音声再生中画面、
１５１・・・動画再生中表示画面、
１５２・・・音楽・動画ＡＰ起動完了データ一致分岐処理、
１５３・・・音楽動画ＡＰ枠内データ有り分岐処理、
１５４・・・ファイルのアンロード分岐処理
【図１】
2005115428.tif 000003
【図２】
2005115428.tif 000004
【図３】
2005115428.tif 000005
【図４】
2005115428.tif 000006
【図５】
2005115428.tif 000007
【図６】
2005115428.tif 000008
【図７】
2005115428.tif 000009
【図８】
2005115428.tif 000010
【図９】
2005115428.tif 000011
【図１０】
2005115428.tif 000012
【図１１】
2005115428.tif 000013
【図１２】
2005115428.tif 000014